(57)【要約】【課題】放送映像の視聴を中断せずに、簡易な操作でＷＥＢページを表示させること。【解決手段】実施形態の表示装置は、表示部と、認識部と、変換部と、ブラウザ部と、表示処理部とを備えている。前記認識部は、放送映像を解析して、前記放送映像に含まれる二次元コードを認識する。前記変換部は、認識された前記二次元コードを、アドレス情報に変換する。前記ブラウザ部は、前記アドレス情報が示すアドレスのＷＥＢページにアクセスし、前記ＷＥＢページをブラウザ画面に表示する。前記表示処理部は、前記放送映像の画面と前記ブラウザ画面の双方を前記表示部に表示する。【選択図】図２
2015032039.tif 000002
【特許請求の範囲】
【請求項１】
表示部と、
放送映像を解析して、前記放送映像に含まれる二次元コードを認識する認識部と、
認識された前記二次元コードを、アドレス情報に変換する変換部と、
前記アドレス情報が示すアドレスのＷＥＢページにアクセスし、前記ＷＥＢページをブラウザ画面に表示するブラウザ部と、
前記放送映像の画面と前記ブラウザ画面の双方を前記表示部に表示する表示処理部と、
を備えた表示装置。
【請求項２】
前記表示処理部は、さらに、前記二次元コードが認識された場合に、前記ブラウザ部を起動するか否かを前記表示部に表示し、ユーザから前記ブラウザ部を起動する旨の指示があった場合に、前記ブラウザ部を起動する、
請求項１に記載の表示装置。
【請求項３】
前記表示処理部は、前記放送映像の画面と前記ブラウザ画面とを個別に前記表示部に表示する、
請求項１に記載の表示装置。
【請求項４】
前記表示処理部は、前記放送映像の画面と前記ブラウザ画面のいずれか一方の画面の中に他方の画面を表示する、
請求項３に記載の表示装置。
【請求項５】
前記二次元コードが示すアドレス情報と、前記放送映像の番組情報とを対応付けた履歴情報を、記憶部に保存する管理部をさらに備え、
前記表示処理部は、前記履歴情報を前記表示部に表示する、
請求項１に記載の表示装置。
【請求項６】
撮像部をさらに備え、
前記認識部は、さらに、前記撮像部により撮像された撮像画像を解析して、前記撮像画像に含まれる前記二次元コードを認識する、
請求項１に記載の表示装置。
【請求項７】
放送映像を解析して、前記放送映像に含まれる二次元コードを認識し、
認識された前記二次元コードを、アドレス情報に変換し、
前記アドレス情報が示すアドレスのＷＥＢページにアクセスし、前記ＷＥＢページをブラウザ画面に表示し、
前記放送映像の画面と前記ブラウザ画面の双方を表示部に表示する、
ことを有する表示方法。
【発明の詳細な説明】
【技術分野】
【０００１】
本発明の実施形態は、表示装置および方法に関する。
【背景技術】
【０００２】
従来から、ＷＥＢブラウザ機能を備えたテレビジョン装置が知られている。このようなテレビジョン装置では、ＷＥＢブラウザ機能を利用して、各種ＷＥＢサイトにアクセスして、ＷＥＢページを表示することが可能となっている。
【先行技術文献】
【特許文献】
【０００３】
【特許文献１】特開２００３−２８１０１０号公報
【特許文献２】特開平９−１６２８１８号公報
【特許文献３】特開２００４−１６４３７７号公報
【特許文献４】特開２００９−７１５７９号公報
【発明の概要】
【発明が解決しようとする課題】
【０００４】
しかしながら、このような従来のテレビジョン装置では、特定のＷＥＢページにアクセスする場合に、ユーザは、長いＵＲＬ（Ｕｎｉｆｏｒｍ  Ｒｅｓｏｕｒｃｅ  Ｌｏｃａｔｏｒ）等のアドレス情報をリモートコントローラ等から入力する必要があったり、あるいはユーザは検索サイトで特定のＷＥＢサイトを検索してＷＥＢページを表示する等、遠回りのアクセスをしなければならず、ＷＥＢページの表示操作が煩雑となっていた。
【０００５】
また、テレビジョン装置では、ユーザは放送映像を視聴していることが多いため、放送映像が突然ＷＥＢページの表示に切り替わる等の放送映像の中断はユーザにとって不便となる。
【課題を解決するための手段】
【０００６】
実施形態の表示装置は、表示部と、認識部と、変換部と、ブラウザ部と、表示処理部とを備えている。前記認識部は、放送映像を解析して、前記放送映像に含まれる二次元コードを認識する。前記変換部は、認識された前記二次元コードを、アドレス情報に変換する。前記ブラウザ部は、前記アドレス情報が示すアドレスのＷＥＢページにアクセスし、前記ＷＥＢページをブラウザ画面に表示する。前記表示処理部は、前記放送映像の画面と前記ブラウザ画面の双方を前記表示部に表示する。
【図面の簡単な説明】
【０００７】
【図１】図１は、実施形態１にかかるデジタルテレビの構成を示すブロック図である。
【図２】図２は、実施形態１にかかるデジタルテレビの制御部の機能的構成を示すブロック図である。
【図３】図３は、実施形態１の表示処理の手順を示すフローチャートである。
【図４】図４は、実施形態１の放送映像に二次元コードが表示されている例を示す図である。
【図５】図５は、実施形態１のユーザ選択画面の一例を示す図である。
【図６】図６は、実施形態１の放送映像とＷＥＢブラウザによるＷＥＢページの表示例を示す図である。
【図７】図７は、実施形態２にかかるデジタルテレビの制御部の機能的構成を示すブロック図である。
【図８】図８は、実施形態２の履歴データのデータ構造の例を示す図である。
【図９】図９は、実施形態２の履歴データの表示例を示す図である。
【図１０】図１０は、実施形態２にかかる表示処理の手順を示すフローチャートである。
【図１１】図１１は、実施形態３について説明するための図である。
【図１２】図１２は、実施形態３にかかるデジタルテレビの制御部の機能的構成を示すブロック図である。
【図１３】図１３は、実施形態３の携帯端末による二次元コードの生成例を示すための図である。
【発明を実施するための形態】
【０００８】
以下、添付図面を参照して実施形態の表示装置および方法を詳細に説明する。
【０００９】
（実施形態１）
図１に示すように、本実施形態のデジタルテレビ１００は、アンテナ２と、デジタル放送の受信用のチューナ３と、信号処理部４と、映像処理部５と、表示処理部６と、表示部７と、音声処理部８と、スピーカー９と、制御部１０と、通信ライン１１と、ＲＡＭ１２（Ｒａｎｄｏｍ  Ａｃｃｅｓｓ  Ｍｅｍｏｒｙ）と、ＲＯＭ１３（Ｒｅａｄ  Ｏｎｌｙ  Ｍｅｍｏｒｙ）と、操作部１４と、受光部１５と、入出力制御部１６と、通信部１７と、カメラ１８とを主に備えている。
【００１０】
アンテナ２は、ＢＳ、ＣＳ、地上波等のデジタル放送を受信する。チューナ３は、ユーザが指示した視聴用のチャンネルを選局する。信号処理部４は、制御部１０の制御のもと、チューナ３で復調された信号や入出力制御部１６より入力された信号を様々なデジタル信号として取り出し処理する。また、信号処理部４では、入力された信号を映像信号と音声信号とに分離し、映像信号を映像処理部５へ、音声信号を音声処理部８へ出力する。
【００１１】
映像処理部５は、信号処理部４から入力した映像信号を正しい画面サイズに調整する処理や、映像についての画質を改善する画質処理として、映像信号に含まれるノイズを除去する処理等を行う。
【００１２】
表示処理部６は、映像処理部５から出力される映像信号を表示部７に表示する処理を行う。また、表示処理部６は、映像処理部５から出力される映像信号に対して、さらに文字情報等のＯＳＤ（Ｏｎ−Ｓｃｒｅｅｎ  Ｄｉｓｐｌａｙ）表示を重ねる。また、表示処理部６は、後述するＷＥＢブラウザによるブラウザ画面を表示部７に表示する。表示部７は、映像信号を画面に表示する。そして、ユーザは表示部７の画面を見ることにより、テレビ映像を見る。
【００１３】
音声処理部８は、音声信号を音響処理するとともに増幅する。スピーカー９は、音声信号を音声として出力する。そして、ユーザはスピーカー９からの音声を聴くことにより、テレビ音声を聴く。
【００１４】
制御部１０は、デジタルテレビ１００の各部を制御する。制御部１０は、シーケンス処理が可能なプロセッシングユニットであり、ＲＯＭ１３に記憶されたプログラムをＲＡＭ１２に展開して順次実行することで、デジタルテレビ１００の各部に制御信号を出力して、デジタルテレビ１００の動作を中央制御する。
【００１５】
通信ライン１１は、チューナ３、信号処理部４、映像処理部５、表示処理部６、音声処理部８、および、制御部１０を互いに接続し、制御部１０と、チューナ３、信号処理部４、映像処理部５、表示処理部６及び音声処理部８の間で、データの受け渡しを行う。通信ライン１１は、具体的にはＩＩＣ−ＢＵＳなどであってよい。ＲＡＭ１２およびＲＯＭ１３は、様々なデータを記憶しており、制御部１０との間で、これらのデータの受け渡しが行われる。
【００１６】
操作部１４は、ユーザの操作指示を受け付けるスイッチである。受光部１５は、ユーザの操作指示を受け付けたリモートコントローラ４０（以下、単に「リモコン４０」と称する。）が発信する信号を受信する。ユーザは、リモコン４０の各種ボタンやキーを操作することで、デジタルテレビ１００及びデジタルテレビ１００と接続する各機器を操作することができる。
【００１７】
通信部１７は、インターネット等のネットワークを介して接続されたサーバと通信する機能を有し、該サーバに対して情報を要求するとともに、サーバから送信された情報を受信する。
【００１８】
次に、制御部１０が実行する機能の詳細について説明する。デジタルテレビ１００は、制御部１０によって実現される機能的構成として、図２に示すように、認識部２０２と、変換部２０３と、ＷＥＢブラウザ２０４とを主に備えている。なお、図２には、説明の都合上、図１に示した、表示処理部６も示している。
【００１９】
認識部２０２は、映像処理部５から映像信号、すなわち放送映像を入力し、入力される放送映像を解析して、画像認識処理により放送映像に含まれる二次元コードを認識（特定）する。ここで、二次元コードは、文字列を二次元的な記号に変換したコードである。二次元コードとしては、例えば、ＱＲ（Ｑｕｉｃｋ  Ｒｅｓｐｏｎｓｅ）コード（登録商標）を用いることができる。本実施形態では、二次元コードとしてＱＲコード（登録商標）を例にあげ、ＱＲコード（登録商標）はインターネット等のネットワーク上のＷＥＢサイトのアドレスであるＵＲＬ（Ｕｎｉｆｏｒｍ  Ｒｅｓｏｕｒｃｅ  Ｌｏｃａｔｏｒ）を変換したものとする。なお、説明の都合上、これ以降、ＱＲコード（登録商標）を二次元コードと標記して説明する。
【００２０】
例えば、放送映像中のＣＭ等に、ＣＭの広告対象の商品のメーカのホームページ等のＵＲＬが二次元コードとして埋め込まれている場合がある。認識部２０２は、このような放送映像をフレームごとに解析し、フレーム画像に埋め込まれている二次元コードを認識する。
【００２１】
変換部２０３は、認識部２０２で認識された二次元コードを、二次元コードが示すアドレス情報、すなわちＵＲＬに変換する。
【００２２】
ＷＥＢブラウザ２０４は、変換部２０３が二次元コードから変換したＵＲＬのＷＥＢサイトへアクセスして、ＷＥＢページをブラウザ画面に表示する。表示処理部６は、ＷＥＢブラウザ２０４を起動して、放送映像の画面とＷＥＢブラウザ２０４によるブラウザ画面の双方を、表示部７に表示する。
【００２３】
ここで、認識部２０２が放送映像から二次元コードを認識した場合に、ＷＥＢブラウザ２０４を直ちに起動するか否かは、ＲＡＭ１２等の記憶媒体に記憶されている自動起動モードの設定フラグに設定されている。自動起動モードの設定フラグが「オン」の設定は、直ちにＷＥＢブラウザ２０４を起動することを意味する。一方、自動起動モードの設定フラグが「オフ」の設定は、直ちにＷＥＢブラウザ２０４を起動せずに、ユーザにＷＥＢブラウザ２０４を起動するか否かを問い合わせてから起動することを意味する。
【００２４】
次に、以上のように構成された本実施形態のデジタルテレビ１００による表示処理について図３を用いて説明する。
【００２５】
まず、認識部２０２は、映像処理部５から放送映像を取得して、放送映像をフレーム毎に解析する（ステップＳ１１）。そして、認識部２０２は、放送映像から二次元コードを認識したか否かを判断する（ステップＳ１２）。放送映像から二次元コードが認識されなかった場合には（ステップＳ１２：Ｎｏ）、ステップＳ１１、Ｓ１２の処理を繰り返す。
【００２６】
ここで、図４に示すような放送映像の場合に、認識部２０２は、放送映像から二次元コードを認識する。
【００２７】
図３に戻り、放送映像から二次元コードが認識された場合には（ステップＳ１２：Ｙｅｓ）、変換部２０３は、認識された二次元コードを二次元コードが示すＵＲＬに変換する。そして、表示処理部６は、ＲＡＭ１２等を参照して自動起動モードの設定フラグが「オン」であるか否かを判断する（ステップＳ１３）。そして、自動起動モードの設定フラグが「オン」である場合には（ステップＳ１３：Ｙｅｓ）、ステップＳ１６に移行し、表示処理部６は、直ちに、ＷＥＢブラウザ２０４を起動する（ステップＳ１６）。
【００２８】
一方、ステップＳ１３で、自動起動モードの設定フラグが「オフ」の場合には（ステップＳ１３：Ｎｏ）、表示処理部６は直ちにＷＥＢブラウザ２０４を起動せずに、表示部７にユーザ選択画面を表示し、ユーザにＷＥＢブラウザ２０４を起動するか否かを問い合わせる（ステップＳ１４）。例えば、図５のユーザ選択画面５０１の例に示すように、ユーザ選択画面５０１におけるメッセージで、ユーザにＷＥＢブラウザ２０４を起動するか否かを問い合わせている。
【００２９】
そして、表示処理部６は、ユーザ選択画面５０１からのユーザの指示待ちとなる（ステップＳ１５）。
【００３０】
ユーザがリモコン４０等でユーザ選択画面５０１で「いいえ」を選択することにより、ＷＥＢブラウザ２０４を起動しない旨の指示を行った場合には、表示処理部６はかかる指示を受付け（ステップＳ１５：Ｎｏ）、ＷＥＢブラウザ２０４を起動せずに、ステップＳ１１へ戻る。
【００３１】
一方、ステップＳ１５において、ユーザがリモコン４０等でユーザ選択画面５０１で「はい」を選択することにより、ＷＥＢブラウザ２０４を起動する旨の指示を行った場合には、表示処理部６は、かかる指示を受付け（ステップＳ１５：Ｙｅｓ）、表示処理部６は、ＷＥＢブラウザ２０４を起動する（ステップＳ１６）。
【００３２】
ＷＥＢブラウザ２０４は、表示処理部６によって起動されると、変換部２０３で変換されたＵＲＬのＷＥＢサイトへアクセスする。そして、ＷＥＢブラウザ２０４は、アクセスすることによって得られたＷＥＢページをブラウザ画面に表示する。このとき表示処理部６は、放送映像の画面とＷＥＢブラウザ２０４によるＷＥＢページが表示されるブラウザ画面との双方を表示部７に表示する。例えば、表示処理部６は、放送映像の画面６０１とＷＥＢブラウザ２０４によるブラウザ画面６０２とを、図６（ａ）に示すように並列配置された別個の画面で表示する。
【００３３】
また、表示処理部６は、放送映像の画面６０１とブラウザ画面６０２のいずれか一方を画面の中に他方の画面に表示するというピクチャインピクチャの表示形態で表示部７に表示してもよい。図６（ｂ）は、放送映像の画面６０１の中にブラウザ画面６０２をピクチャインピクチャ形式で表示している例である。図６（ｃ）は、ブラウザ画面６０２の中に放送映像の画面６０１をピクチャインピクチャ形式で表示している例である。
【００３４】
なお、放送映像の画面６０１とブラウザ画面６０２の表示形態は双方の画面を表示する形態であればよく、これらに限定されるものではない。
【００３５】
このように本実施形態では、デジタルテレビ１００において、放送映像から二次元コードを認識して、ＵＲＬに変換し、ＷＥＢブラウザ２０４によりＵＲＬにアクセスしてＷＥＢページを表示しているので、長いＵＲＬ等のアドレスをユーザに指定させる必要もなく、また、検索サイトを経由して所望のＷＥＢページを表示させるような遠回りの手法も用いる必要がなく、簡易な操作でＷＥＢページを表示させることができる。
【００３６】
また、本実施形態では、放送映像から二次元コードが認識された場合に、表示処理部６はユーザにＷＥＢブラウザ２０４を起動するか否かを問い合わせた上でＷＥＢブラウザ２０４を起動させ、また放送映像の画面をＷＥＢページが表示されるブラウザ画面に切り替えるのではなく、放送映像の画面とブラウザ画面との双方を表示部７に表示している。このため、本実施形態によれば、放送映像の視聴を中断することなく、ユーザの意図に応じてＷＥＢページを表示することができ、放送映像を視聴しているユーザの便宜となる。
【００３７】
（実施形態２）
実施形態２では、デジタルテレビ１００は、放送映像から認識された二次元コードが示すＵＲＬやサイト名と二次元コードに関する番組の情報等を履歴データとして保存している。
【００３８】
実施形態２にかかるデジタルテレビ１００の構成は、図１で示した実施形態１と同様である。本実施形態の制御部７００の機能的構成は、図７に示すように、認識部２０２と、変換部２０３と、ＷＥＢブラウザ２０４と、管理部７０１とを主に備えている。なお、図７には、説明の都合上、図１に示した、表示処理部６も示している。認識部２０２、変換部２０３、ＷＥＢブラウザ２０４は実施形態１と同様の機能を有している。
【００３９】
管理部７０１は、認識部２０２で放送映像から二次元コードが認識された場合に、二次元コードに関する情報を時系列に履歴データ７１０としてＲＡＭ１２等の記憶媒体に保存して管理する。
【００４０】
履歴データ７１０には、図８に示すように、二次元コードが認識された日時である認識日時と、二次元コードが示すＵＲＬと、ＵＲＬが示すサイト名と、二次元コードが含まれた放送映像の放送番組名やチャンネル等の番組情報とを対応づけて記録される。
【００４１】
表示処理部６は、この履歴データ７１０をＲＡＭ１２等から読み出して、表示部７に表示する。図９に示すように、表示部７には、履歴データ７１０の一覧が表示される。符号９０１が一つの履歴データに対応する表示列である。ユーザが、図９に示す画面で、リモコン４０等で所望の履歴データの表示列９０１を選択すると、ＷＥＢブラウザ２０４が起動し、ＷＥＢブラウザ２０４が選択された表示列９０１のＵＲＬのサイトにアクセスして、表示処理部６がＷＥＢページを表示部７に表示する。
【００４２】
次に、以上のように構成された本実施形態の表示処理について図１０を用いて説明する。ステップＳ１１、Ｓ１２の処理は、実施形態１と同様に行われる。
【００４３】
ステップＳ１２で二次元コードが認識されると（ステップＳ１２：Ｙｅｓ）、変換部２０３が二次元コードをＵＲＬに変換する。そして、管理部７０１は、二次元コードの認識日時、二次元コードから変換されたＵＲＬと、二次元コードが認識された放送番組名と、そのチャンネルを履歴データとしてＲＡＭ１２等の記憶媒体に保存する（ステップＳ３１）。その後、ステップＳ１３からＳ１６までの処理は、実施形態１と同様に行われる。
【００４４】
ここで、履歴データ７１０のサイト名には、ステップＳ１６でＷＥＢブラウザが起動されて、ＵＲＬにアクセスして取得されたサイト名が管理部７０１によって登録される。
【００４５】
このように本実施形態では、放送映像から認識された二次元コードが示すＵＲＬやサイト名と二次元コードに関する番組の情報等を履歴データ７１０として保存しているので、一度アクセスしたサイトに容易にアクセスすることができ、ユーザの便宜となる。
【００４６】
（実施形態３）
実施形態１、２では、放送映像から二次元コードを認識していたが、この実施形態３のデジタルテレビ１００は、さらに、図１１に示すように、デジタルテレビ１００に設けられたカメラ１８で紙や携帯端末の画面を撮像し、撮像画像を解析して、二次元コードを認識している。
【００４７】
実施形態３にかかるデジタルテレビ１００の構成は、図１で示した実施形態１と同様である。本実施形態の制御部１２００の機能的構成は、図１２に示すように、画像取得部１２０２と、認識部１２０２と、変換部２０３と、ＷＥＢブラウザ２０４とを主に備えている。なお、図１２には、説明の都合上、図１に示した、表示処理部６も示している。変換部２０３、ＷＥＢブラウザ２０４は実施形態１と同様の機能を有している。
【００４８】
画像取得部１２０２は、カメラ１８から、撮像した紙や携帯端末の画面の撮像画像を取得する。本実施形態の認識部１２０２は、実施形態１と同様に、放送映像を解析して二次元コードを認識する他、画像取得部１２０１で取得した撮像画像を解析して、二次元コードを認識する。本実施形態の表示処理については、実施形態１と同様である。
【００４９】
また、図１３に示すように、携帯端末では、携帯端末のブラウザで表示した閲覧中のＷＥＢページのＵＲＬから二次元コードを生成することができる。また、携帯端末では、受信したメールやブラウザで表示した画面に記載されていたＵＲＬから二次元コードを生成することができる。このようにＵＲＬを生成する際には、図１３の問い合わせ画面１３０１，１３０２に示すように、ユーザに二次元コード生成の確認をとるように構成してもよい。
【００５０】
このように本実施形態では、デジタルテレビ１００に設けられたカメラ１８で紙や携帯端末の画面を撮像し、撮像画像を解析して、二次元コードを認識しているので、簡易な操作でＷＥＢページを表示させることができる。
【００５１】
このようなＷＥＢページやＵＲＬのサイトとしては、放送番組に関連するサイトであれば、デジタルテレビ１００で撮像画像を解析することにより、放送番組と連動させることも可能である。
【００５２】
例えば、デジタルテレビ１００で放送映像を視聴しながら、携帯端末等で放送番組に関連するサイトを閲覧した場合に、当該サイトのＵＲＬを二次元コードとしてデジタルテレビ１００で認識して、放送映像と連動したＷＥＢページをデジタルテレビ１００で表示することができ、よりユーザの便宜となる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
３  チューナ
５  映像処理部
６  表示処理部
７  表示部
９  スピーカー
１０，７００，１２００  制御部
１１  通信ライン
１５  受光部
１７  通信部
４０  リモートコントローラ
１００  デジタルテレビ
２０２  認識部
２０３  変換部
２０４  ＷＥＢブラウザ
５０１  ユーザ選択画面
７０１  管理部
１３０１，１３０２  問い合わせ画面
【図１】
2015032039.tif 000003
【図２】
2015032039.tif 000004
【図３】
2015032039.tif 000005
【図４】
2015032039.tif 000006
【図５】
2015032039.tif 000007
【図６】
2015032039.tif 000008
【図７】
2015032039.tif 000009
【図８】
2015032039.tif 000010
【図９】
2015032039.tif 000011
【図１０】
2015032039.tif 000012
【図１１】
2015032039.tif 000013
【図１２】
2015032039.tif 000014
【図１３】
2015032039.tif 000015